(57)【要約】【課題】  パッキンを用いた密閉構造の密閉性を確保しつつ、ケースの薄肉化や中子の削減を可能とすることにより、ケース体の小型化、細幅化等を可能とし、デザイン設計や構造設計の自由度の増大を図ることの可能なケース体の密閉構造を提供する。【解決手段】  本発明のケース体の密閉構造は、機器のケース体を構成する第１のケース部材１１と第２のケース部材１３とがパッキン１８を介在させて接合され、前記第１のケース部材１１と前記第２のケース部材１３の少なくとも一方に、前記ケース体の内部に開口した開口部１１ｘｂを備えたパッキン収容溝１１ｘが形成され、前記パッキン収容溝１１ｘによって構成されるパッキン収容空間は、前記開口部１１ｘｂ側の高さよりも前記ケース体の外部側の高さが大きい断面形状を有することを特徴とする。【選択図】図１
2006275744.tif 000002
【特許請求の範囲】
【請求項１】
機器のケース体を構成する第１のケース部材と第２のケース部材とがパッキンを介在させた状態で接合されてなるケース体の密閉構造において、
前記第１のケース部材と前記第２のケース部材の少なくとも一方に、前記ケース体の内部に開口した開口部を備えたパッキン収容溝が形成され、
前記パッキン収容溝によって構成されるパッキン収容空間は、前記開口部における高さよりも前記開口部の反対側の高さが大きい断面形状を有することを特徴とするケース体の密閉構造。
【請求項２】
前記パッキン収容溝は、前記開口部側から反対側に向けて溝深さが増大する方向に傾斜した内面部を有することを特徴とする請求項１に記載のケース体の密閉構造。
【請求項３】
前記パッキン収容溝の延長方向の一部に前記開口部が前記ケース体の内部に開口する開放領域を有し、残部に前記開口部の形成されない領域、或いは、前記開口部が他の部材により閉鎖された閉鎖領域を有することを特徴とする請求項１又は２に記載のケース体の密閉構造。
【請求項４】
前記パッキンは、外部応力を受けていない状態で、内側より外側の方が厚い断面形状を有することを特徴とする請求項１乃至３のいずれか一項に記載のケース体の密閉構造。
【請求項５】
前記パッキンは、外部応力を受けていない状態で、内側から外側に向けて前記パッキンが漸次厚くなる方向に傾斜した表面を前記パッキン収容溝の内面に当接する側に有することを特徴とする請求項４に記載のケース体の密閉構造。
【請求項６】
前記パッキンは、外部応力を受けていない状態で、内側から外側へ向けて凸状の輪郭を有する表面を前記パッキン収容溝の内面に当接する側に有し、該表面の頂点部は、前記開口部の奥側に配置され、しかも、前記開口部における前記高さよりも大きい前記高さを有する部分の内面に当接していることを特徴とする請求項１乃至５に記載のケース体の密閉構造。
【請求項７】
請求項１乃至６のいずれか一項に記載のケース体の密閉構造を備えたことを特徴とする時計。
【請求項８】
前記第１のケース部材は時計ケースであり、前記第２のケース部材は裏蓋であることを特徴とする請求項７に記載のケース体の密閉構造。
【発明の詳細な説明】
【技術分野】
【０００１】
本発明はケース体の密閉構造及び時計に係り、特に、腕時計の時計ケースと裏蓋とをパッキンを用いて密閉する場合に好適な密閉構造に関する。
【背景技術】
【０００２】
一般に、腕時計などの防水性を有する時計においては、時計ケースと裏蓋との間に合成ゴム等で構成されるパッキンを介在させて密閉し、所要の防水性を確保している。この様な密閉構造としては、通常、時計ケースの裏蓋に接する接合面に凹溝を形成することにより、時計ケースと裏蓋とが接合されたときにパッキンボックスが構成されるようにする場合がある。また、時計ケースの裏蓋に接する接合面に内部側に開口部を備えた片凹溝を形成し、裏蓋の内面にはこの片凹溝の開口部に対向配置される中子を設け、時計ケースと裏蓋とが接合されたとき、上記片凹溝の開口部が中子で閉鎖されるように構成することにより、接合された時計ケースと裏蓋によりパッキンボックスが構成されるようにしたものが知られている（例えば、以下の特許文献１参照）。
【特許文献１】実開昭５９−７４３７８号公報
【発明の開示】
【発明が解決しようとする課題】
【０００３】
しかしながら、前述のパッキンボックスが構成される密閉構造では、時計ケースの内側に凹溝の内側壁を設けることにより時計ケースが厚肉化するために、或いは、時計ケースの内部に上記中子を配置しても時計ケースの内部空間を確保するために、時計ケースの外形が大きくなってしまうという問題点がある。
【０００４】
特に、近年においては、女持ち（女性向け）等の小幅の細長モデル（ブレスレットタイプ）の需要が増大しているため、３時−９時方向または１２時−６時方向の幅を低減した時計ケースが多くなってきているが、時計ケースの内部に収容されるムーブメントの幅寸法の低減には限界があることから、現状以上に幅寸法を削減して時計ケースの更なるスリム化を図るといったことができないという問題点がある。
【０００５】
そこで、本発明は上記問題点を解決するものであり、その目的は、パッキンを用いた密閉構造の密閉性を確保しつつ、ケースの薄肉化や中子の削減を可能とすることにより、ケース体の小型化、細幅化等を可能とし、デザイン設計や構造設計の自由度の増大を図ることのできるケース体の密閉構造を提供することにある。
【課題を解決するための手段】
【０００６】
斯かる実情に鑑み、本発明のケース体の密閉構造は、機器のケース体を構成する第１のケース部材と第２のケース部材とがパッキンを介在させた状態で接合されてなるケース体の密閉構造において、前記第１のケース部材と前記第２のケース部材の少なくとも一方に、前記ケース体の内部に開口した開口部を備えたパッキン収容溝が形成され、前記パッキン収容溝によって構成されるパッキン収容空間は、前記開口部の高さよりも前記開口部の反対側の高さが大きい断面形状を有することを特徴とする。
【０００７】
この発明によれば、パッキン収容溝がケース体の内部に開口した開口部を有することにより、従来の凹溝の内壁部の厚さ分が不要になるとともに、開口部を閉鎖する他の部材も不要になるため、第１のケース部材と第２のケース部材の接合部分の肉厚を低減することができ、しかも、ケース体内部の空間を占有することもない。したがって、内部空間を確保しつつケース体の外形を小型化することが可能になるなど、機器の小型化や細幅化、或いは、デザイン設計や構造設計の自由度の増大を図ることができる。また、パッキン収容溝によって構成されるパッキン収容空間は、開口部側の高さよりもその反対側の高さが大きい断面形状を有することにより、パッキン収容空間に収容されたパッキンがケース体の内部に向けて移動したり内部にはみ出したりすることで密閉性が低下することを防止できる。
【０００８】
本発明において、前記パッキン収容溝は、前記開口部側から反対側に向けて前記溝深さが増大する方向に傾斜した内面部を有することが好ましい。これによれば、パッキンが傾斜した内面部に当接することによって開口部の反対側に圧縮応力を受けるため、より確実に密閉性を確保することができる。
【０００９】
本発明において、前記パッキン収容溝の延長方向の一部に前記開口部が前記ケース体の内部に開口する開放領域を有し、残部に前記開口部の形成されない領域、或いは、前記開口部が他の部材により閉鎖された閉鎖領域を有することが好ましい。これによれば、開放領域では第１のケース部材と第２のケース部材の接合部分の肉厚を低下させることができるとともに、閉鎖領域ではパッキンを確実に保持することができるため、ケース体の形状に応じて接合部分の肉厚の削減と密閉性の確保とを高レベルでバランスさせることができる。例えば、腕時計や腕時計型機器で細長モデルを形成しようとする場合、１２時−６時方向の長さは充分に確保できるので当該方向の接合部分を閉鎖領域とし、３時−９時方向の幅を低減するために当該方向の接合部分を開放領域とすることが好ましい。また、上記とは逆に、１２時−６時方向の幅を低減するために当該方向の接合部分を開放領域とし、３時−９時方向の接合部分を閉鎖領域としてもよい。なお、このようにケース体の相互に対向する一対の接合部分を閉鎖領域とし、これらの閉鎖領域の間に一対の開放領域を設けることにより、ケース体の組み立て前においてもパッキンを確実に保持することができるため、パッキンの組み込み状態を安定させることができ、密閉機能を確実に得ることができる。
【００１０】
本発明において、前記パッキンは、外部応力を受けていない状態で、内側より外側の方が厚い断面形状を有することが好ましい。これによれば、パッキンが内側より外側の方が厚い断面形状を有することにより、上記パッキン収容溝の断面形状と対応する形となるので、パッキンの内側への移動や内部へのはみ出しによる密閉性の低下をさらに確実に防止できる。
【００１１】
本発明において、前記パッキンは、外部応力を受けていない状態で、内側から外側に向けて前記パッキンが漸次厚くなる方向に傾斜した表面を前記パッキン収容溝の内面に当接する側に有することが好ましい。これによれば、上記のように傾斜した表面が上記パッキン収容溝の内面に当接することで、より確実にパッキンの内側への移動や内部へのはみ出しを防止できる。
【００１２】
本発明において、前記パッキンは、外部応力を受けていない状態で、内側から外側へ向けて凸状の輪郭を有する表面を前記パッキン収容溝の内面に当接する側に有し、該表面の頂点部は、前記開口部の奥側に配置され、しかも、前記開口部における溝深さよりも大きい溝深さを有する部分の内面に当接していることが好ましい。これによれば、パッキン収容溝の内面に当接する側に凸状の表面を有することにより、パッキン収容溝の溝深さに対応してパッキンが変形しやすくなるとともに、その表面の頂点部が開口部よりも溝深さの大きい部分の内面に当接することにより、パッキンの内側への移動や内部へのはみ出しをより確実に防止することができる。
【００１３】
次に、本発明の時計は、上記のいずれかに記載のケース体の密閉構造を備えたことを特徴とする。これによれば、時計の密閉構造を構成できると同時に、時計の小型化や細幅化、或いは、デザイン設計・構造設計の自由度の増大を図ることができる。この場合に、前記第１のケース部材は時計ケースであり、前記第２のケース部材は裏蓋であることが好ましい。
【発明の効果】
【００１４】
本発明によれば、密閉性を確保しつつ、ケース接合部分の薄肉化を図ることができるので、機器の小型化や細幅化、或いは、デザイン設計・構造設計の自由度の増大を図ることができるという優れた効果を奏し得る。
【発明を実施するための最良の形態】
【００１５】
［第１実施形態］
次に、添付図面を参照して本発明の実施形態について詳細に説明する。図１は本発明に係る第１実施形態の時計（腕時計若しくは腕時計型機器の本体）１０のケース構造を示す概略縦断面図である。図１において、図面中央にある一点鎖線の左側部分は１２時−６時方向の断面構造を示し、同一点鎖線右側の部分は３時−９時方向の断面構造（図示例の場合は３時方向）を示す。
【００１６】
時計１０は、時計ケース（胴）１１と、この時計ケース１１の前面側に取り付け固定された表示窓（ガラス）１２と、時計ケース１１の背面側に取り付け固定された裏蓋１３とを有するケース体を備えている。このケース体の内部には、ムーブメント等の内部装置１４が配置され、この内部装置１４の前面側には文字板等の表示板１５が配置され、表示板１５の前面側には上記内部装置１５によって駆動される指針等の表示手段１６が設けられている。また、時計ケース１１の側部には外部操作部材１７が取り付けられている。
【００１７】
本実施形態では、時計ケース１１と裏蓋１３の接合部分にパッキン１８が介在し、このパッキン１８によって時計ケース１１と裏蓋１３との間の密閉性が確保されている。このパッキン１８は、時計ケース１１の接合部分に設けられたパッキン収容溝１１ｘ内に収容されている。
【００１８】
図２は裏蓋１３の概略斜視図、図３は時計ケース１１と裏蓋１３の１２時−６時方向の接合部分を示す拡大部分断面図、図４は時計ケース１１と裏蓋１３の３時−９時方向の接合部分を示す拡大部分断面図である。
【００１９】
裏蓋１３は時計ケース１１の内部にケース壁面に沿って挿入される中子部１３ｘを一体に備えており、この中子部１３ｘには図２及び図３に示す係合突起１３ｙが設けられ、この係合突起１３ｙは時計ケース１１の内面に形成された図３に示す係合凹部１１ｙに嵌合し、これによって時計ケース１１と裏蓋１３がパッキン１８を介在させて相互に接合され、固定されるようになっている。なお、本明細書において「接合」とは、単に接して合わせられた状態を言い、接着されたり、固着されたりする場合に限定されるものではない。
【００２０】
本実施形態において、上記パッキン収容溝１１ｘは、裏蓋１３側に開口する開口部１１ｘａとともに、時計ケースの内部に開口する開口部１１ｘｂを備えた片凹溝状に形成されている。このパッキン収容溝１１ｘの開口部１１ｘａは裏蓋１３によって閉鎖される。また、上記開口部１１ｘｂは、図３に示すように、１２時−６時方向の領域では中子部１３ｘによって閉鎖されるが、３時−９時方向の領域では中子部１３ｘが存在しないため、図４に示すように時計ケース１１の内部に向けて開口したままの状態になっている。ここで、図３に示すように裏蓋１３の相互に対向する一対の部分に中子部１３ｘが存在するため、時計ケース１１と裏蓋１３の組み立て前においてもパッキン１８が正規の位置に確実かつ安定的に保持されるため、時計ケース１１と裏蓋１３との組み立て後においてはパッキン１８の組み込み位置が正確になり、組み込み状態も安定するので、パッキン１８による密閉機能を容易かつ確実に得ることが可能になる。
【００２１】
上記パッキン収容溝１１ｘには、裏蓋１３の接合面１３ａと対向する内面部（すなわち、開口部１１ｘａ側から見たときの溝底面となる部分）１１ｘｐと、開口部１１ｘｂの反対側の内面部（すなわち、開口部１１ｘｂ側から見て最も奥にあり、開口部１１ｘａ側から見たときの溝内側面となる部分）１１ｘｑとを有している。そして、上記内面部１１ｘｐは、開口部１１ｘｂ側から反対側（奥側）に向けて徐々に深くなるように傾斜している。一方、裏蓋１３の接合面１３ａは基本的に平坦に構成されている。これにより、パッキン収容溝１１ｘによって構成されるパッキン収容空間の高さは、開口部１１ｘｂから奥側に向けて徐々に大きくなっている。また、上記内面部１１ｘｑは、開口部１１ｘａ側が徐々に広くなるように傾斜している。これにより、パッキン収容溝１１ｘの接合面１３ａに沿って測った幅は、奥から開口部１１ｘａに向けて徐々に大きくなるように構成されている。
【００２２】
本実施形態では、時計ケース１１に設けられたパッキン収容溝１１ｘの内面部１１ｘｐが３時−９時方向の領域で時計ケース１１の内部に開口していることにより、凹溝状に形成したときに比べると、凹溝の内壁部の厚さ分が不要になるため、その分、時計ケース１１の接合部分における厚さを低減することができる。また、裏蓋１３に設けられた中子部１３ｘは１２時−６時方向の領域（閉鎖領域）には形成されているが、３時−９時方向の領域（開放領域）には形成されていないため、当該３時−９時方向の領域では中子部１３ｘの厚さ分だけ内部空間を確保することができる。したがって、全体として時計ケース１１の外形を小型化できるとともに、特に、３時−９時方向の領域では時計ケース１１の外形を小さくすることができ、これにより時計ケースの細幅化が実現できる。
【００２３】
また、本実施形態では、パッキン収容溝１１ｘが開口部１１ｘｂ側から奥側に向けて徐々に深くなるように傾斜していることにより、パッキン１８を介在させて時計ケース１１と裏蓋１３とを接合させたとき、パッキン１８が開口部１１ｘｂとは反対側の奥部に向けて応力を受けることとなるので、パッキン収容空間内から開口部１１ｘｂ側にパッキン１８が移動したり、開口部１１ｘｂから内側へパッキン１８が大きくはみ出したりすることを防止できる。したがって、時計ケース１１と裏蓋１３との間の密閉性を確保することができ、所要の防水性を実現できる。
【００２４】
なお、通常、閉鎖されたパッキンボックスが構成される場合には、パッキンボックスの容積若しくは断面積に対してパッキン１８の体積若しくは断面積を１１５〜１２０％程度とすることが望ましいが、本実施形態でも、パッキン収容溝１１ｘによって構成されるパッキン収容空間の容積若しくは断面積に対してパッキン１８の体積若しくは断面積が上記と同程度に大きくなるように構成することが望ましい。特に、本実施形態の場合、３時−９時方向の領域では開口部１１ｘｂが開放されているので、開口部１１ｘｂから若干のパッキン１８のはみ出しが生じうるとすれば、パッキン１８の体積若しくは断面積の比を従来よりもやや大きく設定してもよい。例えば、当該比をパッキン収容空間の容積若しくは断面積の１１０〜１３５％の範囲内でパッキン１８の材質に応じて設計することが望ましい。
【００２５】
［比較例］
上記の効果は、図１０に示す比較例と対比することによって容易に理解できる。図１０は、比較例の断面構造を示す概略縦断面図である。この比較例の時計１０′は、パッキン収容溝１８′の断面形状を除いて本実施形態と同様の構成を有するので、同一部分には同一符号を付し、それらの説明は省略する。
【００２６】
この時計１０′のパッキン収容溝１８′は、上記実施形態と同様に、開口部１１ｘａ′だけでなく開口部１１ｘｂ′を有するが、内面部１１ｘｐ′が開口部１１ｘｂ′側から奥部に向けて水平に形成され、これによって、開口部１１ｘｂ′側から奥部に向けてパッキン収容溝１１ｘ′の溝深さ、すなわち、パッキン収容空間の高さがほぼ一定になっている。
【００２７】
この比較例でも、上記実施形態と同様に、時計ケースの小型化を図ることができるが、時計ケース１１と裏蓋１３とを密接させたとき、パッキン１８が圧縮応力により開口部１１ｘｂ′側に移動したり、開口部１１ｘｂ′から大きくはみ出したりし、その結果、時計ケース１１と裏蓋１３との間の密閉性が悪化したり、耐圧が低下したりする恐れがある。
【００２８】
また、この比較例では、時計ケース１１と裏蓋１３とを接合させたとき、パッキン１８のくせや撓み等によってパッキン１８の内側への移動量や開口部１１ｘｂ′からのはみ出し量がばらつくので、パッキン収容溝１１ｘ′の容積若しくは断面積の設定がほとんど無意味になる。さらに、比較例において密閉性を高める方法としては、パッキン１８の体積若しくは断面積に対するパッキン収容溝１１ｘ′（パッキン収容空間）の容積若しくは断面積の割合を大きくすることが考えられるが、当該割合を大きくするほど圧縮応力も大きくなるので、パッキン１８の内側への移動量や開口部１１ｘｂ′からのはみ出し量も大きくなることから、密閉性の向上には結びつきにくい。
【００２９】
［第２実施形態］
次に、図５を参照して本発明に係る第２実施形態について説明する。この実施形態では、パッキン２８の断面形状を除いて上記第１実施形態と同様の構成を有するので、接合部分の構造及びパッキンの断面形状のみを図示し、他の構造の説明は省略する。また、図５において第１実施形態に対応する部分には同一符号を付し、それらの説明は省略する。
【００３０】
本実施形態において、パッキン２８は、開口部１１ｘｂ側に配置される内側部分２８ａから、開口部１１ｘｂとは反対側（奥側）に配置される外側部分２８ｂに向けて徐々に厚さが増大した断面形状を備えている。例えば、パッキン２８の上面２８ｕは、内側部分２８ａから外側部分２８ｂに向けて徐々に上方に向かう傾斜面となっている。また、パッキン２８の下面２８ｄも、内側部分２８ａから外側部分２８ｂに向けて徐々に下方へ向かう傾斜面となっている。
【００３１】
本実施形態では、パッキン２８の厚さが外側へ進むほど厚く構成されているため、パッキン収容溝１１ｘ内に収容されたとき、内面部１１ｘｐから受ける斜め外側に向かう圧縮応力を受け止めやすくなるため、パッキン収容溝１１ｘ内においてパッキン２８が開口部１１ｘｂとは反対側（外側）にさらに押し付けられやすくなる。したがって、パッキン２８の内側への移動や開口部１１ｘｂからのはみ出しをさらに低減することができるため、時計ケース１１と裏蓋１３の間の密閉性をより確実に得ることができる。
【００３２】
［第３実施形態］
次に、図６を参照して本発明に係る第３実施形態について説明する。この実施形態でも、パッキン３８の断面形状を除いて上記第１実施形態と同様の構成を有するので、接合部分の構造及びパッキンの断面形状のみを図示し、他の構造の説明は省略する。また、図６において第１実施形態に対応する部分には同一符号を付し、それらの説明は省略する。
【００３３】
本実施形態において、パッキン３８は、パッキン収容溝１１ｘの内面部１１ｘｐに当接する上面３８ｕの輪郭が開口部１１ｘｂ側から反対側に向けて凸曲線状に構成されている。そして、当該上面３８ｕの頂点部３８ｔは、内面部１１ｘｐのうち、開口部１１ｘｂよりも奥側にあり、かつ、開口部１１ｘｂにおける溝深さよりも大きな溝深さを有する部分に当接している。また、パッキン３８における裏蓋１３の平坦な接合面１３ａに当接する下面３８ｄは平坦に構成されている。
【００３４】
本実施形態では、パッキン３８は上述の上面３８ｕを備えていることにより、パッキン上部が変形しやすくなるので、内面部１１ｘｐの形状に密接しやすくなり、その結果、パッキン収容溝１１ｘによるパッキン３８の保持力が増大するので、密閉性をさらに確実に確保することができる。
【００３５】
また、上面３８ｕの頂点部３８ｔは、内面部１１ｘｐのうち、開口部１１ｘｂの奥側に配置され、しかも、開口部１１ｘｂにおける溝深さよりも大きな溝深さを有する部分に当接していることにより、頂点部３８ｔが開口部１１ｘｂ側に移動しにくくなり、開口部１１ｘｂとは離れた部分で内面部１１ｘｐに沿って変形するので、パッキン収容溝１１ｘにおけるパッキン３８の保持力をさらに高めることができる。特に、本実施形態では、頂点部３８ｔが開口部１１ｘｂとは反対側の奥部に向けて溝深さが徐々に大きくなるように傾斜した内面部１１ｘｐに当接しているので、頂点部３８ｔが奥側へ変形するため、パッキン収容溝１１ｘによるパッキン３８の保持力をさらに高めることができる。
【００３６】
なお、パッキン３８は凸曲線状の輪郭を備えた上面３８ｕを備えているが、当該輪郭は円弧状、放物線状等の凸曲線状に限定されるものではく、逆Ｖ字型などをも含む凸状に構成されてさえいれば、上述の効果を奏することができる。
【００３７】
［第４実施形態］
次に、図７を参照して本発明に係る第５実施形態について説明する。この実施形態では、時計ケース２１に設けられたパッキン収容溝２１ｘの断面形状を除いて上記第１実施形態と同様の構成を有するので、接合部分の構造及びパッキンの断面形状のみを図示し、他の構造の説明は省略する。また、図７において第１実施形態に対応する部分には同一符号を付し、それらの説明は省略する。
【００３８】
本実施形態において、パッキン収容溝２１ｘには、上記と同様の開口部２１ｘａ、２１ｘｂを備えた片凹溝形状を有するが、開口部２１ｘａの奥に設けられた内面部分には、開口部２１ｘｂ側に形成された縁面部２１ｘｒと、この縁面部２１ｘｒよりも深い位置に形成された奥面部２１ｘｓとが設けられている。
【００３９】
このパッキン収容溝２１ｘでは、奥面部２１ｘｓにパッキン１８の多くの部分が当接し、縁面部２１ｘｒと奥面部２１ｘｓとの間の段差にパッキン１８が引っ掛かることにより、パッキン１８がパッキン収容溝２１ｘから脱出するのを防止するので、確実に密閉性を確保できる。
【００４０】
なお、この実施形態でも、上記パッキン２８，３８のような断面形状のパッキンを用いることで、さらに密閉性を高めることができる。
【００４１】
［第５実施形態］
次に、図８を参照して本発明に係る第５実施形態について説明する。この実施形態では、時計ケース３１に設けられたパッキン収容溝３１ｘの断面形状を除いて上記第１実施形態と同様の構成を有するので、接合部分の構造パッキンの断面形状のみを図示し、他の構造の説明は省略する。また、図８において第１実施形態に対応する部分には同一符号を付し、それらの説明は省略する。
【００４２】
本実施形態において、パッキン収容溝３１ｘには、上記と同様の開口部３１ｘａ、３１ｘｂを備えた片凹溝形状を有するが、開口部３１ｘａの奥に設けられた内面部分には、開口部３１ｘｂ側に形成された縁面部３１ｘｒと、この縁面部３１ｘｒよりも深く凹状に形成された奥面部３１ｘｓとが設けられている。具体的には、奥面部３１ｘｓは、縁面部３１ｘｒから奥側に向けて溝深さが徐々に大きくなるように形成された斜面部分を備えている。
【００４３】
このパッキン収容溝３１ｘでは、奥面部３１ｘｓにパッキン１８の多くの部分が当接し、縁面部３１ｘｒの奥側にある上記斜面部分にパッキン１８が引っ掛かり、パッキン１８がパッキン収容溝３１ｘから脱出するのを防止するので、確実に密閉性を確保できる。
【００４４】
なお、この実施形態でも、上記パッキン２８，３８のような断面形状のパッキンを用いることで、さらに密閉性を高めることができる。
【００４５】
［第６実施形態］
次に、図９を参照して本発明に係る第５実施形態について説明する。この実施形態では、時計ケース４１に設けられたパッキン収容溝４１ｘの断面形状、及び、裏蓋４３にパッキン収容溝４３ｘが設けられていることを除いて上記第１実施形態と同様の構成を有するので、接合部分の構造及びパッキンの断面形状のみを図示し、他の構造の説明は省略する。また、図９において第１実施形態に対応する部分には同一符号を付し、それらの説明は省略する。
【００４６】
本実施形態において、パッキン収容溝４１ｘには、上記と同様の開口部４１ｘａ、４１ｘｂが設けられているが、開口部４１ｘａの奥に形成された内面部４１ｘｐが開口部４１ｘｂから奥側へ向けてほぼ水平に形成されている。
【００４７】
また、裏蓋４３には上記パッキン収容溝４１ｘと対向するパッキン収容溝４３ｘが設けられ、このパッキン収容溝４３ｘには、上記開口部４１ｘａに重なる開口部４３ｘａと、上記開口部４１ｘｂと並列する開口部４３ｘｂが設けられている。このパッキン収容溝４３ｘの開口部４３ｘａの奥側にある内面部４３ｘｐは、開口部４３ｘｂ側から奥側へ向けて溝深さが徐々に大きくなるように傾斜面となっている。
【００４８】
本実施形態では、パッキン収容溝４１ｘと４３ｘによって構成されるパッキン収容空間の高さが開口部４１ｘｂ、４３ｘｂよりも奥側において大きくなるように構成されているので、上記各実施形態と同様にパッキン１８を保持することができ、パッキン１８の内側への移動や開口部４１ｘｂ、４３ｘｂからのはみ出しを防止できる。
【００４９】
なお、この実施形態でも、上記パッキン２８，３８のような断面形状のパッキンを用いることで、さらに密閉性を高めることができる。
【００５０】
以上説明した本発明のケース体の密閉構造及び時計は、上述の図示例にのみ限定されるものではなく、本発明の要旨を逸脱しない範囲内において種々変更を加え得ることは勿論である。例えば、上記各実施形態では、時計ケース１１と裏蓋１３との密閉構造とともに他の密閉構造（時計ケース１１と表示窓１２や外部操作部材１７との間の密閉構造）をも有することによって時計ケース１１の内部が完全に密封された構造となっているが、本発明においては、ケース体の内部が完全に密封されている必要はなく、第１のケース部材と第２のケース部材との間の少なくとも一部に密閉構造を有するものであればよい。
【００５１】
また、上記実施形態では、時計ケースと裏蓋の接合部分に開放領域と閉鎖領域を設けているが、当該接合部分の全周に亘ってパッキン収容溝が内部に開口している構造（すなわち、全周が開放領域となる構造）であってもよい。また、開放領域と閉鎖領域の双方を設ける場合には、開放領域は３時−９時方向や１２時−６時方向の接合部分に限らず他の任意の部分に設けることができ、このとき、閉鎖領域は開放領域以外の部分に設けることができる。なお、上記のようにケース体の相互に対向する一対の接合部分を閉鎖領域とし、これらの閉鎖領域の間に一対の開放領域を設けることにより、ケース体の組み立て前においてもパッキンを確実に保持することができるため、パッキンの組み込み状態を安定させることができ、確実な密閉機能を得ることができる。
【００５２】
さらに、上記実施形態の閉鎖領域では、裏蓋に設けられた中子部によってパッキン収容溝１１ｘの開口部を閉鎖しているが、当該閉鎖領域においてパッキン収容溝を凹溝形状としてもよい。
【００５３】
その他、本発明は上記実施形態の他の構造に何ら限定されるものではなく、例えば、上記実施形態においては時計ケースと裏蓋を嵌合固定しているが、時計ケースに対して裏蓋を螺合させた構造、ねじ止めした構造など、任意の固定構造を採用することができる。
【図面の簡単な説明】
【００５４】
【図１】第１実施形態の全体構成を示す概略縦断面図。
【図２】第１実施形態の裏蓋をパッキンとともに示す概略斜視図。
【図３】第１実施形態の時計ケースと裏蓋の接合部分（閉鎖領域）をパッキンの断面形状とともに示す拡大部分縦断面図。
【図４】第１実施形態の時計ケースと裏蓋の接合部分（開放領域）をパッキンの断面形状とともに示す拡大部分縦断面図。
【図５】第２実施形態の時計ケースと裏蓋の接合部分（開放領域）をパッキンの断面形状とともに示す拡大部分縦断面図。
【図６】第３実施形態の時計ケースと裏蓋の接合部分（開放領域）をパッキンの断面形状とともに示す拡大部分縦断面図。
【図７】第４実施形態の時計ケースと裏蓋の接合部分（開放領域）をパッキンの断面形状とともに示す拡大部分縦断面図。
【図８】第５実施形態の時計ケースと裏蓋の接合部分（開放領域）をパッキンの断面形状とともに示す拡大部分縦断面図。
【図９】第６実施形態の時計ケースと裏蓋の接合部分（開放領域）をパッキンの断面形状とともに示す拡大部分縦断面図。
【図１０】溝深さが一定のパッキン収容溝を備えた比較例の構造を示す概略縦断面図。
【符号の説明】
【００５５】
１０…時計、１１，２１，３１，４１…時計ケース、１１ｘ，２１ｘ，３１ｘ，４１ｘ，４３ｘ…パッキン収容溝、１１ｘｂ…開口部、１１ｘｐ…内面部、１２…表示窓、１３，４３…裏蓋、１３ｘ…中子部、１４…内部装置、１５…表示板、１６…表示手段、１７…外部操作部材、１８，２８，３８…パッキン
【図１】
2006275744.tif 000003
【図２】
2006275744.tif 000004
【図３】
2006275744.tif 000005
【図４】
2006275744.tif 000006
【図５】
2006275744.tif 000007
【図６】
2006275744.tif 000008
【図７】
2006275744.tif 000009
【図８】
2006275744.tif 000010
【図９】
2006275744.tif 000011
【図１０】
2006275744.tif 000012